(57)【要約】【課題】  ＴＭモード誘電体共振器の誘電体を、容易に、確実に、シールド板に固定できるようにする。【解決手段】  アース板１０４には、プレス加工などにより、シールドケース１０の内側方向に凸となるように形成された凸部１１０が設けられる。凸部１１０には、誘電体３０の円形の当接面３００よりも少し小さい半径の円形に形成された当接面１１２が設けられる。当接面３００の中心と当接面１１２の中心とは位置合わせされ、誘電体３０は、中心固定ネジ３２により、アース板１０４に対して固定される。当接面１１２の全周と、当接面３００との間に生じる隙間には半田が流し込まれ、誘電体３０とアース板１０４とは、さらに半田付けにより固定される（半田付１１４）。【選択図】図４
2006217308.tif 000002
【特許請求の範囲】
【請求項１】
シールドケースを構成し、凸部が設けられたアース板と、
前記シールドケースに収容され、前記アース板と当接する第１の当接面が設けられた誘電体と
を有する誘電体共振器であって、
前記アース板の凸部には、前記誘電体の第１の当接面よりも小さく、前記誘電体の第１の当接面と当接する第２の当接面が設けられ、
前記誘電体は、前記誘電体の第１の当接面が、前記凸部の第２の当接面を含むように前記第２の当接面に当接させられて、前記アース板に固定される
ＴＭモード誘電体共振器。
【請求項２】
前記誘電体は、円筒形に形成され、
前記誘電体に設けられる第１の当接面は、前記円筒形の底面であって、
前記アース板の凸部の第２の当接面は、前記円筒形の底面よりも半径が小さい円形であって、
前記誘電体は、前記第１の当接面の中心と、前記第２の当接面との中心とが合わされて当接させられ、前記第１の当接面と、前記第２の当接面の周囲とが半田付けされることにより、前記アース板に固定される
請求項１に記載のＴＭモード誘電体共振器。
【発明の詳細な説明】
【技術分野】
【０００１】
本発明は、ＴＭモード誘電体共振器に関する。
【背景技術】
【０００２】
引用文献１，２は、円筒形の誘電体を用いたＴＭモード誘電体共振器を開示する。
これらの文献に開示されたＴＭモード誘電体共振器の誘電体は、その底面と、シールドケースを構成するシールド板とが当接するように、シールド板に固定される。
しかしながら、このような構成のＴＭモード誘電体共振器の誘電体を、シールド板に確実に固定することは、必ずしも容易ではない。
【特許文献１】特開昭６３−２５０２０１号公報
【特許文献２】特開２００２−９４３０８号公報
【発明の開示】
【発明が解決しようとする課題】
【０００３】
本発明は、上述のような背景からなされたものであり、誘電体を、容易に、また、確実に、シールド板に固定できるように改良されたＴＭモード誘電体共振器を提供することを目的とする。
【課題を解決するための手段】
【０００４】
上記目的を達成するために、本発明にかかるＴＭモード誘電体共振器は、シールドケースを構成し、凸部が設けられたアース板と、前記シールドケースに収容され、前記アース板と当接する第１の当接面が設けられた誘電体とを有する誘電体共振器であって、前記アース板の凸部には、前記誘電体の第１の当接面よりも小さく、前記誘電体の第１の当接面と当接する第２の当接面が設けられ、前記誘電体は、前記誘電体の第１の当接面が、前記凸部の第２の当接面を含むように前記第２の当接面に当接させられて、前記アース板に固定される。
【０００５】
好適には、前記誘電体は、円筒形に形成され、前記誘電体に設けられる第１の当接面は、前記円筒形の底面であって、前記アース板の凸部の第２の当接面は、前記円筒形の底面よりも半径が小さい円形であって、前記誘電体は、前記第１の当接面の中心と、前記第２の当接面との中心とが合わされて当接させられ、前記第１の当接面と、前記第２の当接面の周囲とが半田付けされることにより、前記アース板に固定される。
【発明の効果】
【０００６】
本発明にかかるＴＭモード誘電体共振器によれば、誘電体を、容易に、また、確実に、シールド板に固定できる。
【発明を実施するための最良の形態】
【０００７】
以下、本発明の実施形態を説明する。
図１〜図３は、本発明にかかるＴＭモード誘電体共振器１の構成を例示する第１〜第３の図であって、図１は、ＴＭモード誘電体共振器１の誘電体共振器３０の長軸（Ｚ軸）方向から見た上面図であり、図２，図３は、それぞれ図１に示したＸ軸，Ｙ軸の方向から見た側面図である。
図１〜図３に示すように、ＴＭモード誘電体共振器１は、６面体の形状に構成されるシールドケース１０、結合コイル部１４−１，１４−２、同調ネジ部１６、シールドケース１０の内部に収容され、２つの円形の底面（当接面３００）を有する円筒形の誘電体３０および中心固定ネジ３２−１，３２−２から構成される。
シールドケース１０のケース本体１００の６面の内、誘電体３０の長軸（Ｚ軸）方向の２面には蓋板１０８−１，１０８−２が配設され、これら以外の４面には、側板１０２−１〜１０２−４が配設される。
なお、以下、結合コイル部１４−１，１４−２など、複数ある構成部分のいずれかが、特定されずに示されるときには、単に結合コイル部１４と略記されることがある。
【０００８】
図４は、図１に示した誘電体３０と凸部１１０との当接部分を示す図であって、中心線ＡよりもＢ側は、当接部分の側面を示し、Ｃ側は、当接部分の断面を示す。
図１，図４に示すように、アース板１０４−１，１０４−２それぞれには、例えばプレス加工により、シールドケース１０の内側方向に凸となり、シールドケース１０の外側に凹となるように形成された凸部１１０が設けられる。
アース板１０４−１，１０４−２は、蓋板１０８−１，１０８−２に配設され、シールドケース１０の中に収容される。
なお、側板１０２および蓋板１０８の材料としては、例えば、表面に、銅メッキあるいは銀メッキが施された鉄板が使用され、アース板１０４の材料としては、例えば、銅板が使用される。
【０００９】
アース板１０４−１．１０４−２の凸部１１０の内側の面（蓋板１０８と接しない面）には、当接面３００よりも少し小さい半径の円形に形成された面であって、誘電体３０の当接面３００と当接される当接面１１２が設けられる。
また、アース板１０４−１．１０４−２の凸部１１０の外側の面（蓋板１０８と接する面）と、シールドケース１０との間には、ゴムなどの弾性材を、当接面１１２と同程度の大きさの円形に形成した保護シート１０６が配設される。
図４において中心線ＡのＣ側に示すように、誘電体３０の当接面３００の中心と、保護シート１０６の中心と、凸部１１０の当接面１１２の中心と、シールドケース１０の蓋板１０８の中心（図１参照）とは位置合わせされ、誘電体３０と保護シート１０６とは、中心固定ネジ３２により、アース板１０４および蓋板１０８に対して、とも締めされて固定される。
図４において中心線ＡのＢ側に示すように、凸部１１０の当接面１１２の全周と、誘電体３０の当接面３００との間に生じる隙間には半田が流し込まれ、誘電体３０とアース板１０４とは、さらに半田付けにより固定される（半田付１１４）。
【００１０】
図５は、図１〜図３に示した結合コイル部１４の構成を例示する図である。
シールドケース１０の蓋板１０８−１には、誘電体３０、凸部１１０、保護シート１０６および中心固定ネジ３２の他に、結合コイル部１４、および、ＴＭモード誘電体共振器１の同調周波数を調節するために用いられる同調ネジ部１６が、さらに配設される。
図５に示すように、結合コイル部１４は、接栓１４０およびコイル１４２から構成される。
蓋板１０８−１に配設された結合コイル部１４は、誘電体３０と電気的に結合され、ＴＭモード誘電体共振器１への入力信号を誘電体３０に対して入力し、あるいは、誘電体３０から出力信号を取り出す。
結合コイル部１４、同調ネジ部１６、保護シート１０６、誘電体３０および中心固定ネジ３２が配設された蓋板１０８−1およびアース板１０４−１と、保護シート１０６、誘電体３０および中心固定ネジ３２が配設された蓋板１０８−２およびアース板１０４―２と、側板１０２−１〜１０２−４とは、図４に示したように、ネジ止めされて互いに固定され、シールドケース１０の内部は密閉される。
【００１１】
図６は、図４などに示した凸部の当接面１１２の半径が、誘電体の当接面３００の半径よりも広い場合を例示する図である。
ＴＭモード誘電体共振器１におけるように、アース板１０４に凸部１１０を設けて、中心固定ネジ３２および半田付１１４により誘電体３０を固定するようにすると、例えば、図６に示すように、凸部の当接面１１２の半径が、誘電体の当接面３００の半径よりも広い場合に、誘電体３０をテーパー部を設けて銀蒸着させ、さらに半田付けすることにより固定する場合に比べて、以下（１）〜（３）に示すような利益を得ることができる。
（１）誘電体３０にテーパー部（図６）を作成する工程が不要になる
（２）誘電体３０のテーパー部（図６）への銀蒸着の工程が不要になる
（３）上記（１），（２）に示したように、製造工程が省略可能なので安価に製造可能である。
【図面の簡単な説明】
【００１２】
【図１】本発明にかかるＴＭモード誘電体共振器の構成を例示する第１の図であって、ＴＭモード誘電体共振器の誘電体共振器の長軸（Ｚ軸）方向から見た上面図である。
【図２】本発明にかかるＴＭモード誘電体共振器の構成を例示する第２の図であって、図１に示したＸ軸の方向から見た側面図である。
【図３】本発明にかかるＴＭモード誘電体共振器の構成を例示する第３の図であって、図１に示したＹ軸の方向から見た側面図である。
【図４】図１に示した誘電体と凸部との当接部分を示す図であって、中心線ＡよりもＢ側は、当接部分の側面を示し、中心線ＡよりもＣ側は、当接部分の断面を示す。
【図５】図１〜図３に示した結合コイル部の構成を例示する図である。
【図６】図４などに示した凸部の当接面の半径が、誘電体の当接面の半径よりも広い場合を例示する図である。
【符号の説明】
【００１３】
１・・・ＴＭモード誘電体共振器、
１０・・・シールドケース、
１００・・・ケース本体、
１０２・・・側板、
１０８・・・蓋板、
１０４・・・アース板、
１１０・・・凸部、
１１２・・・当接面、
１１４・・・半田付、
１０６・・・保護シート、
１４・・・結合コイル部、
１４０・・・接栓、
１４２・・・結合コイル、
１６・・・同調ネジ部、
３０・・・誘電体、
３００・・・当接面、
３２・・・中心固定ネジ、
【図１】
2006217308.tif 000003
【図２】
2006217308.tif 000004
【図３】
2006217308.tif 000005
【図４】
2006217308.tif 000006
【図５】
2006217308.tif 000007
【図６】
2006217308.tif 000008